(57)【要約】【課題】  風呂の浴槽を入浴に利用していない状態で、良好なスペース効率で使用出来、外観品質も良好な浴槽被覆体及び浴槽構造を提供する。【解決手段】  浴槽本体１０の少なくとも上面を覆う上面板部材１１のうち、浴槽本体１０上周縁に沿って、周囲のフランジ部１１ｂを残して開口させることにより、上部開口部１１ａが形成されている。  この上部開口部１１ａには、フランジ部１１ｂの上面と略面一となる上面を有する板状の腰掛け蓋体１３，１４が設けられて、嵌合されている。【選択図】図１
2005095426.tif 000002
【特許請求の範囲】
【請求項１】
浴槽本体の少なくとも上面を覆う上面板部材のうち、浴槽本体上周縁に沿って、周囲の
フランジ部を残して開口させることにより、上部開口部を形成し、該上部開口部に嵌合す
ると共に、前記フランジ部の上面と略面一となる上面を有する板状の腰掛け蓋体を設けた
ことを特徴とする浴槽被覆体。
【請求項２】
前記上面板部材と同一材質で、前記浴槽本体の洗い場側側面を覆う側面板材を設けたこ
とを特徴とする請求項１記載の浴槽被覆体。
【請求項３】
請求項１又は２記載の浴槽被覆体によって浴槽本体が、被覆されていることを特徴とす
る浴槽構造。
【発明の詳細な説明】
【技術分野】
【０００１】
この発明は、スペースを有効利用できる浴槽被覆体及び浴槽構造に関し、特に、住宅に
おいて、自宅介護の為に所定期間設けられる浴槽被覆体及び浴槽構造に関するものである
。
【背景技術】
【０００２】
従来、図１３に示すような浴室の浴槽２の付属品としての風呂蓋３が知られている（例
えば、特許文献１参照）。
【０００３】
まず構成から説明すると、このようなものでは、複数の短冊状部材３ｂ…が、長手方向
の一辺で可撓性部材を介して互いに隣接するもの同士が接続されて、全体として板状の折
曲可能な蓋本体３ａが構成されている。  
【０００４】
この蓋本体３ａは、円筒状のカバー部材４内部に巻き取られるように構成されている。
【０００５】
次に、この従来例の風呂蓋の作用について説明する。
【０００６】
このように構成された従来の風呂蓋では、前記カバー部材４から、前記蓋本体３ａを引
き出した状態で、係止具５，５を浴槽２の反対側他端縁部上面２ａに係合させることによ
り、前記浴槽２の上面部が、この風呂蓋３に覆われた状態となる。
【特許文献１】実開平５−３９３８２号公報（段落０００８乃至００１８、図１）
【発明の開示】
【発明が解決しようとする課題】
【０００７】
しかしながら、このような従来の風呂蓋では、前記蓋本体３ａに入浴者が、腰掛けても
耐えるだけの充分な強度が無く、前記浴槽２の上面部を、この風呂蓋３で覆った状態で、
この風呂蓋３の上から前記浴槽２の上に座ることが出来なかった。
【０００８】
また、浴槽２の側面部２ｂが洗い場側に露出しているので、例えば、居室内を防水化し
て、介護用の浴槽２を設ける構成を採用する場合、居室内の雰囲気が浴室のようになり、
外観品質を向上させることが困難であると共に、あたかも、一般の居室のように良好なス
ペース効率を得ようとすることが困難であった。
【０００９】
そこで、この発明は、風呂の浴槽を入浴に利用していない状態で、良好なスペース効率
で使用出来、外観品質も良好な浴槽被覆体及び浴槽構造を提供することを目的としている
。
【課題を解決するための手段】
【００１０】
このように構成された請求項１記載のものは、浴槽本体の少なくとも上面を覆う上面板
部材のうち、浴槽本体上周縁に沿って、周囲のフランジ部を残して開口させることにより
、上部開口部を形成し、該上部開口部に嵌合すると共に、前記フランジ部の上面と略面一
となる上面を有する板状の腰掛け蓋体を設けた浴槽被覆体を特徴としている。
【００１１】
また、請求項２に記載されたものは、前記上面板部材と同一材質で、前記浴槽本体の洗
い場側側面を覆う側面板材を設けた請求項１記載の浴槽被覆体を特徴としている。
【００１２】
更に、請求項３に記載されたものは、請求項１又は２記載の浴槽被覆体によって浴槽本
体が、被覆されている浴槽構造を特徴としている。
【発明の効果】
【００１３】
このように構成された請求項１，３記載のものは、前記腰掛け蓋体を前記上部開口部か
ら外すと、前記浴槽本体の上部が開口されて、入浴を行うことができる。
【００１４】
また、前記上部開口部に前記腰掛け蓋体を嵌合すると、該腰掛け蓋体の上面は、前記フ
ランジ部の上面と略面一となり、腰掛けとして用いることができる。
【００１５】
そして、前記腰掛け蓋体の上面が、前記フランジ部の上面と略面一となるので、外観品
質も良好である。
【００１６】
更に、請求項２に記載されたものは、前記上面板部材と同一材質で構成された側面板材
によって、前記浴槽本体の洗い場側側面が覆われる。
【００１７】
このため、浴槽本体の上面と側面とは、統一感が出て、更に外観品質を良好なものとす
ることが出来る。
【発明を実施するための最良の形態】
【００１８】
次に、図１乃至図１２に示す図面に基づいて、この発明の最良の実施の形態の浴槽被覆
体及び浴槽構造について説明する。なお、前記従来例と同一乃至均等な部分については、
同一符号を付して説明する。
【００１９】
まず、構成から説明すると、この実施の形態では、浴室内に設けられた浴槽本体１０に
は、上面を覆う上面板部材１１と、浴槽本体１０の洗い場６側の側面の洗い場６底面部か
ら前記上面板部材１１の洗い場側端縁に至るまで延設された側面板部材１２とを有する浴
槽被覆体としての被覆体１が設けられている。
【００２０】
これらの上面板部材１１及び側面板部材１２は、視覚及び触感上、安らぎを与えられる
材質、例えば、この実施の形態では、厚みを３０ｍｍ以上有する木材無垢材が用いられて
いる。
【００２１】
そして、このうち、前記上面板部材１１には、前記浴槽本体１０の上縁部１０ａの形状
に合わせて、上周縁に沿って、やや大きめに周囲のフランジ部１１ｂを残した形状に開口
させた上部開口部１１ａが形成されている。
【００２２】
更に、この上部開口部１１ａに嵌合すると共に、前記フランジ部１１ｂの上面と略面一
となる上面を有する厚板状の浴槽被覆体の一部を構成する腰掛け蓋体１３，１４が設けら
れている。
【００２３】
この腰掛け蓋体１３，１４は、左右一対、略対称に設けられていると共に、前記上面板
部材１１と同一材質であり、厚みを３０ｍｍ以上有する木材無垢材が用いられて構成され
ている。
【００２４】
この厚みが３０ｍｍ以上設けられた木材無垢材は、前記浴槽本体１０の上縁部１０ａに
周囲を係止させた状態で、この人が、この腰掛け蓋体１３，１４の上から腰掛けても湾曲
等、変形しない強度を有している。
【００２５】
これらの腰掛け蓋体１３，１４は、前記上部開口１１ａの四隅に位置するコーナー部を
Ｒ状とすると共に、両腰掛け蓋体１３，１４が対向する各対向辺を直線状として、略前記
上部開口部１１ａの面積を、左右対称に２等分するように上面視形状が形成されている。
【００２６】
そして、各腰掛け蓋体１３，１４の左，右側縁には、手又は指を挿入して持ち上げるこ
とが可能なように、凹状の切欠部１３ａ，１３ｂ及び１４ａ，１４ｂが形成されている。
【００２７】
次に、この実施の形態の作用について説明する。
【００２８】
このように構成された実施の形態の浴槽被覆体では、図２又は図４に示すように、前記
腰掛け蓋体１３，１４が前記上部開口部１１ａから外されると、前記浴槽本体１０の上部
が、上縁部１０ａよりもやや大きく開口されて、入浴者は、入浴を行うことができる。
【００２９】
また、図１又は図３に示すように、前記上部開口部１１ａに前記腰掛け蓋体１３，１４
を嵌合させると、これらの腰掛け蓋体１３，１４の上面は、前記上面板部材１１のフラン
ジ部１１ｂの上面と略面一となり、腰掛けとして用いることができる。
【００３０】
このように、前記上部開口部１１ａが前記腰掛け蓋体１３，１４によって閉塞された状
態では、前記腰掛け蓋体１３，１４の上面が、前記フランジ部１１ｂの上面と略面一とな
るので、外観品質も良好である。
【００３１】
また、図１に示すように、座布団１５，１５を置いて、人が、これらの座布団１５，１
５及び腰掛け蓋体１３，１４の上から腰掛けても、前記腰掛け蓋体１３，１４が、人の体
重によって湾曲等、変形する虞がない。
【００３２】
この実施の形態では、各腰掛け蓋体１３，１４の上から各々２人の人が腰掛けても、前
記腰掛け蓋体１３，１４が、人の体重によって湾曲等、変形する虞がない。
【００３３】
更に、前記上面板部材１１と同一材質で構成された側面板部材１２によって、前記浴槽
本体１０の洗い場側側面１０ｂが覆われている。
【００３４】
また、この浴槽本体１０の上面は、前記上面板部材１１及び腰掛け蓋体１３，１４によ
って覆われている。
【００３５】
このため、浴槽本体１０の上面及び洗い場側側面１０ｂは、露出することなく、見えな
いので、浴槽本体１０の有する衛生設備色が払拭されてインテリアとしての外観品質が整
う。
【００３６】
しかも、この実施の形態では、浴槽本体１０の上面と洗い場側側面１０ｂとは、同じ材
質の木材無垢材で構成されているので、統一感が出て、更に外観品質を良好なものとする
ことが出来る。
【００３７】
以上、図面を参照して、本発明を実施するための最良の実施の形態の浴槽被覆体及び浴
槽構造を詳述してきたが、具体的な構成は、これらの実施の形態に限らず、本発明の要旨
を逸脱しない程度の設計的変更は、本発明に含まれる。
【００３８】
例えば、前記実施の形態では、左右対称の一対の腰掛け蓋体１３，１４を用いたものを
示して説明してきたが、特にこれに限らず、例えば、１枚の木材無垢材で構成されるもの
や、適当な大きさに分割された複数の木材無垢材を組み合わせて使用する等、前記上部開
口部１１ａに嵌合するものであるならば、どのような材質、数量、形状であってもよい。
【図面の簡単な説明】
【００３９】
【図１】この発明を実施するための最良の形態に係る浴槽被覆体及び浴槽構造で、全体の構成を説明する腰掛け蓋体使用状態での斜視図である。
【図２】最良の形態に係る浴槽被覆体及び浴槽構造を示し、腰掛け蓋体を外した入浴状態の構成を説明する斜視図である。
【図３】最良の形態に係る浴槽被覆体及び浴槽構造で、全体の構成を説明する腰掛け蓋体の使用状態での上面図である。
【図４】最良の形態に係る浴槽被覆体及び浴槽構造を示し、腰掛け蓋体を外した入浴状態の構成を説明する上面図である。
【図５】最良の形態に係る浴槽被覆体及び浴槽構造を示し、浴槽を洗い場側から見た正面図である。
【図６】最良の形態に係る浴槽被覆体及び浴槽構造を示し、浴槽の下面図である。
【図７】最良の形態に係る浴槽被覆体及び浴槽構造を示し、浴槽の左側面図である。
【図８】最良の形態に係る浴槽被覆体及び浴槽構造を示し、浴槽の右側面図である。
【図９】最良の形態に係る浴槽被覆体及び浴槽構造を示し、浴槽の背面図である。
【図１０】最良の形態に係る浴槽被覆体及び浴槽構造を示し、図３中Ａ−Ａ線に沿った位置での断面図である。
【図１１】最良の形態に係る浴槽被覆体及び浴槽構造を示し、図３中Ｂ−Ｂ線に沿った位置での断面図である。
【図１２】最良の形態に係る浴槽被覆体及び浴槽構造を示し、図３中Ｃ−Ｃ線に沿った位置での断面図である。
【図１３】従来例の浴槽の付属品としての風呂蓋の使用状況を説明する斜視図である。
【符号の説明】
【００４０】
１                被覆体（浴槽被覆体）
１１              上面板部材
１１ａ            上縁開口部
１１ｂ            フランジ部
１２              側面板部材
１３，１４        腰掛け蓋体
１０              浴槽本体
１０ａ            上縁部
１１              上面板部材
１１ａ            上縁開口部
１１ｂ            フランジ部
１２              側面板部材
１３，１４        腰掛け蓋体
【図１】
2005095426.tif 000003
【図２】
2005095426.tif 000004
【図３】
2005095426.tif 000005
【図４】
2005095426.tif 000006
【図５】
2005095426.tif 000007
【図６】
2005095426.tif 000008
【図７】
2005095426.tif 000009
【図８】
2005095426.tif 000010
【図９】
2005095426.tif 000011
【図１０】
2005095426.tif 000012
【図１１】
2005095426.tif 000013
【図１２】
2005095426.tif 000014
【図１３】
2005095426.tif 000015